(57)【要約】【課題】ＡＤＢ機能を備えたＬＥＤ光源のハイビーム・ロービーム一体型前照灯モジュールを提供する。【解決手段】本発明は、ＡＤＢ機能を備えたＬＥＤ光源のハイビーム・ロービーム一体型前照灯モジュールに関し、集光器（１）とハイビームＬＥＤ光源（２）とロービームＬＥＤ光源（３）と補助反射鏡（４）と反射鏡（５）とレンズ（６）と、を含む。集光器（１）の左側又は右側の中間に塊状空洞構造（７）が設けられ、ハイビームＬＥＤ光源（２）の個数は少なくとも２個である。集光器（１）の塊状空洞構造（７）の後端に対応するＬＥＤ光源は、フルハイビームの作動時、点灯状態にあり、発せられる光が塊状空洞構造（７）の伝搬を経た後、前方に出射され、ハイビーム配光パターンの一部分を形成し、集光器（１）の塊状空洞構造（７）の後端に対応するＬＥＤ光源はＡＤＢ作動時、消灯状態にあり、他のＬＥＤ光源が点灯し、光を塊状空洞構造（７）の側面（７−２）上に照射した時、光は、全反射された後に前方に出射され、ＡＤＢ配光パターンを形成する。【選択図】図３
2019522336.tif 000002
【特許請求の範囲】
【請求項１】
透明材料製の集光器（１）と、
前記集光器（１）の光入射側近傍である後側に設けられたハイビームＬＥＤ光源（２）及びロービームＬＥＤ光源（３）と、
前記集光器（１）の出射光側の前部上方である前部上方に設けられた反射鏡（５）と、前側に設けられたレンズ（６）と、を含むＡＤＢ機能を備えたＬＥＤ光源のハイビーム・ロービーム一体型前照灯モジュールであって、
前記集光器（１）の左側或いは右側に上部開口部を備えた塊状空洞構造（７）が開設され、
前記塊状空洞構造（７）が略多角形であり、
前記塊状空洞構造（７）の内部の後側端面（７−１）及び中間側端面（７−２）は平面であり、前記内部の前記後側端面（７−１）が光入射側に近い端面であり、
前記集光器（１）の外側前端面（１−３）が平面或いは円弧面であり、
前記塊状空洞構造（７）の前記内部の前記レンズ（６）に近い側の端面である前側端面（７−３）は前記集光器（１）の前記外側前端面（１−３）と同じ形状でかつマッチする平面或いは円弧面であることを特徴とする、
ＡＤＢ機能を備えたＬＥＤ光源のハイビーム・ロービーム一体型前照灯モジュール。
【請求項２】
鮮明なＡＤＢカットオフラインを形成するため、前記集光器（１）の前記塊状空洞構造（７）の前記内部の前記後側端面（７−１）と前記中間側端面（７−２）との接合部は、鋭角であることを特徴とする、
請求項１に記載のＡＤＢ機能を備えたＬＥＤ光源のハイビーム・ロービーム一体型前照灯モジュール。
【請求項３】
前記ハイビームＬＥＤ光源（２）の個数は、２個〜５個であることを特徴とする、
請求項１に記載のＡＤＢ機能を備えたＬＥＤ光源のハイビーム・ロービーム一体型前照灯モジュール。
【請求項４】
前記ハイビームＬＥＤ光源（２）のうちの前記集光器（１）の前記上部開口部を備えた前記塊状空洞構造（７）の後端に位置するハイビームＬＥＤ光源（２）は、単独で点灯又は消灯できることを特徴とする、
請求項１に記載のＡＤＢ機能を備えたＬＥＤ光源のハイビーム・ロービーム一体型前照灯モジュール。
【請求項５】
前記集光器（１）の後端の前記集光器（１）の前記上部開口部を備えた前記塊状空洞構造（７）に対応する前記ハイビームＬＥＤ光源（２）は、フルハイビームの作動時、点灯状態にあり、発せられる光が前記塊状空洞構造（７）の伝搬を経た後、前方に出射され、ハイビーム配光パターンの一部分を形成し、
前記集光器（１）の後端の前記集光器（１）の前記上部開口部を備えた前記塊状空洞構造（７）に対応する前記ハイビームＬＥＤ光源（２）は、ＡＤＢの作動時、消灯状態にあり、他のＬＥＤ光源が点灯し、光を前記塊状空洞構造（７）の側面上に照射した時、該光は、全反射された後に、前方に出射され、ＡＤＢ配光パターンを形成することを特徴とする、
請求項４に記載のＡＤＢ機能を備えたＬＥＤ光源のハイビーム・ロービーム一体型前照灯モジュール。
【請求項６】
前記集光器（１）は、左側前照灯に用いられ、前記塊状空洞構造（７）が前記左側前照灯に対応する前記集光器（１）の左側に設けられることを特徴とする、
請求項１に記載のＡＤＢ機能を備えたＬＥＤ光源のハイビーム・ロービーム一体型前照灯モジュール。
【請求項７】
前記集光器（１）は、右側前照灯に用いられ、前記塊状空洞構造（７）が前記右側前照灯に対応する前記集光器（１）の右側に設けられることを特徴とする、
請求項１に記載のＡＤＢ機能を備えたＬＥＤ光源のハイビーム・ロービーム一体型前照灯モジュール。
【請求項８】
前記集光器（１）は、左側又は右側の前照灯に用いられ、前記ハイビームＬＥＤ光源（２）の個数が２個或いは４個の偶数の場合、前記塊状空洞構造（７）の前記内部の集光器中央部に近い側が２個の前記ハイビームＬＥＤ光源（２）の中心線の左側又は右側に少なくとも位置し、
右側に前記塊状空洞構造（７）を開設した場合、左側の前記ハイビームＬＥＤ光源（２）から出射された光を右側の前記塊状空洞構造（７）の前記内部の前記集光器中央部に近い側において全反射させ、或いは、
左側に前記塊状空洞構造（７）を開設した場合、右側の前記ハイビームＬＥＤ光源（２）から出射された光を左側の前記塊状空洞構造（７）の前記内部の前記集光器中央部に近い側において全反射させることを特徴とする、
請求項１に記載のＡＤＢ機能を備えたＬＥＤ光源のハイビーム・ロービーム一体型前照灯モジュール。
【請求項９】
前記集光器（１）は、左側又は右側の前照灯に用いられ、前記ハイビームＬＥＤ光源（２）の個数が３個或いは５個の奇数の場合、前記塊状空洞構造（７）の前記内部の集光器中央部に近い側が中間の１個の前記ハイビームＬＥＤ光源（２）から出射された光の軸線の左側又は右側に少なくとも位置し、
右側に前記塊状空洞構造（７）を開設した場合、中央部の前記ハイビームＬＥＤ光源（２）から出射された光を右側の前記塊状空洞構造（７）の前記内部の前記集光器中央部に近い側において全反射させ、或いは、
左側に前記塊状空洞構造（７）を開設した場合、前記中央部の前記ハイビームＬＥＤ光源（２）から出射された光を左側の前記塊状空洞構造（７）の前記内部の前記集光器中央部に近い側において全反射させることを特徴とする、
請求項１に記載のＡＤＢ機能を備えたＬＥＤ光源のハイビーム・ロービーム一体型前照灯モジュール。
【請求項１０】
前記集光器（１）は、左側又は右側の前照灯に用いられている時、左側又は右側の前記塊状空洞構造（７）の前記内部の前記前側端面（７−３）から前記集光器（１）の前記外側前端面（１−３）までの距離は、２ｍｍ〜１０ｍｍであることを特徴とする、
請求項１に記載のＡＤＢ機能を備えたＬＥＤ光源のハイビーム・ロービーム一体型前照灯モジュール。
【請求項１１】
前記集光器（１）の前記塊状空洞構造（７）は、不規則な略方形穴であることを特徴とする、
請求項１に記載のＡＤＢ機能を備えたＬＥＤ光源のハイビーム・ロービーム一体型前照灯モジュール。
【請求項１２】
前記集光器（１）の前記塊状空洞構造（７）は、不規則な矩形穴であることを特徴とする、
請求項１に記載のＡＤＢ機能を備えたＬＥＤ光源のハイビーム・ロービーム一体型前照灯モジュール。
【請求項１３】
前記集光器（１）の前記外側前端面（１−３）は、内方に向けて凹となる円弧面であることを特徴とする、
請求項１に記載のＡＤＢ機能を備えたＬＥＤ光源のハイビーム・ロービーム一体型前照灯モジュール。
【発明の詳細な説明】
【技術分野】
【０００１】
本発明は、車両照明に関し、特に、ＡＤＢ機能を備えたＬＥＤ光源のハイビーム・ロービーム一体型前照灯モジュールに関する。
【背景技術】
【０００２】
車両照明へのＬＥＤ光源の活用が絶え間なく進展するに伴い、様々な性能のハイビーム、ロービーム前照灯モジュールが存在し、その中の一つの発展方向として、ハイビーム、ロービーム前照灯モジュールの統合及び低コスト化、コンパクト化、構造の簡略化により、機能を整えることで、市場にも広く受け入れられている。
【０００３】
交通の安全性は、日増しに人々の関心を集めており、毎年、ハイビームの不適切な使用によりもたらされる交通事故は少数にとどまっていない。ＡＤＢ機能付き前照灯モジュールは一定程度においてハイビーム、ロービームの使用の矛盾を解決でき、車両に良好な可視性をもたらし、対向車の運転者への眩しさも防止できる。ＡＤＢ（Ａｄａｐｔｉｖｅ  Ｄｒｉｖｉｎｇ  Ｂｅａｍ）機能は、スマート制御であり、各ＬＥＤの独立制御を通じて、照明領域及び照明輝度をリアルタイムで制御できるため、対向車及び歩行者に対して眩しさを与えることを効果的に防止できる。
【０００４】
従来のＡＤＢ機能を備えた前照灯モジュールは、主に３種類に分かれる。第１番目のＡＤＢ機能を備えた前照灯モジュールは遮光板で光を遮蔽してＡＤＢ配光パターンを形成し、この形態のモジュールは、遮光板、電磁弁等の部品を組み合わせる必要があり、構造上比較的複雑で、かつ体積も比較的大きく、コストも高くなる。第２番目のＡＤＢ機能を備えた前照灯モジュールは高解像度のＬＥＤマトリクス内の一部のＬＥＤの消灯によりＡＤＢ配光パターンを形成し、この形態のモジュールは、大量のＬＥＤ光源を必要とし、コストも比較的高く、かつ一般的に遮光板部品も備えなければならないため、体積でも一定の制限を受け、構造も明らかに複雑になる。第３番目のＡＤＢ機能を備えた前照灯モジュールは反射面マトリクスタイプであり、各反射面が１個のＬＥＤ光源に対応し、かつ一部の配光パターンにも対応し、異なる部分の配光パターンの重ね合わせ、組み合わせを通じてＡＤＢ配光パターンを形成し、この形態のモジュールは、反射面構造の制限を受け、体積も比較的大きく、構造も複雑である。
【０００５】
従って、現在、存在する問題点とは、従来のＡＤＢ機能を備えた前照灯モジュールでは、コストが比較的高く、構造も比較的複雑で、体積もコンパクトではなく、並びに集積度も比較的低く、機能も整っていない点である。
【発明の概要】
【発明が解決しようとする課題】
【０００６】
上記の問題点を克服するため、本発明が解決しようとする技術的課題は、ＡＤＢ機能を備えたＬＥＤ光源のハイビーム・ロービーム一体型前照灯モジュールを提供することである。本発明に係るＡＤＢ機能を備えたＬＥＤ光源ハイビーム・ロービーム一体型前照灯モジュールは、部品点数が比較的少なく、コストも低く、ハイビーム・ロービーム一体型前照灯モジュール上にＡＤＢ機能を統合し、モジュールの機能をより調えることができるため、集積度も更に高くなる。
【課題を解決するための手段】
【０００７】
本発明のＡＤＢ機能を備えたＬＥＤ光源のハイビーム・ロービーム一体型前照灯モジュールの技術的手段は、以下の通りである。
【０００８】
本発明のＡＤＢ機能を備えたＬＥＤ光源のハイビーム・ロービーム一体型前照灯モジュールは、
透明材料製の集光器（１）と、
前記集光器（１）の光入射側近傍である後側に設けられたハイビームＬＥＤ光源（２）及びロービームＬＥＤ光源（３）と、
前記集光器（１）の出射光側の前部上方である前部上方に設けられた反射鏡（５）と、前側に設けられたレンズ（６）と、を含むＡＤＢ機能を備えたＬＥＤ光源のハイビーム・ロービーム一体型前照灯モジュールであって、
前記集光器（１）の左側或いは右側に上部開口部を備えた塊状空洞構造（７）が開設され、
前記塊状空洞構造が略多角形であり、
前記塊状空洞構造の内部の後側端面（７−１）及び中間側端面（７−２）は平面であり、前記内部の前記後側端面が光入射側に近い端面であり、
前記集光器（１）の外側前端面（１−３）が平面或いは円弧面であり、
前記塊状空洞構造の前記内部の前記レンズ（６）に近い側の端面である前側端面（７−３）は、前記集光器（１）の前記外側前端面と同じ形状でかつマッチする平面或いは円弧面であることを特徴とする。
【０００９】
本発明のＡＤＢ機能を備えたＬＥＤ光源のハイビーム・ロービーム一体型前照灯モジュールによれば、鮮明なＡＤＢカットオフラインを形成するため、前記集光器（１）の前記塊状空洞構造の前記内部の前記後側端面（７−１）と前記中間側端面（７−２）との接合部は、鋭角であることを特徴とする。
【００１０】
本発明のＡＤＢ機能を備えたＬＥＤ光源のハイビーム・ロービーム一体型前照灯モジュールによれば、前記ハイビームＬＥＤ光源（２）の個数は、２個〜５個であることを特徴とする。
【００１１】
本発明のＡＤＢ機能を備えたＬＥＤ光源のハイビーム・ロービーム一体型前照灯モジュールによれば、前記ハイビームＬＥＤ光源（２）の個数は、２個〜３個であることを特徴とする。
【００１２】
本発明のＡＤＢ機能を備えたＬＥＤ光源のハイビーム・ロービーム一体型前照灯モジュールによれば、前記ハイビームＬＥＤ光源（２）のうちの前記集光器（１）の前記上部開口部を備えた前記塊状空洞構造（７）の後端に位置するハイビームＬＥＤ光源は、単独で点灯又は消灯できることを特徴とする。
【００１３】
本発明のＡＤＢ機能を備えたＬＥＤ光源のハイビーム・ロービーム一体型前照灯モジュールによれば、前記集光器（１）の後端の前記集光器（１）の前記上部開口部を備えた前記塊状空洞構造（７）に対応する前記ハイビームＬＥＤ光源は、フルハイビームの作動時、点灯状態にあり、発せられる光が前記塊状空洞構造の伝搬を経た後、前方に出射され、ハイビーム配光パターンの一部分を形成し、
前記集光器（１）の後端の前記集光器（１）の前記上部開口部を備えた前記塊状空洞構造に対応する前記ハイビームＬＥＤ光源は、ＡＤＢの作動時、消灯状態にあり、他のＬＥＤ光源が点灯し、光を前記塊状空洞構造の側面上に照射した時、該光は、全反射された後に、前方に出射され、ＡＤＢ配光パターンを形成することを特徴とする。
【００１４】
本発明のＡＤＢ機能を備えたＬＥＤ光源のハイビーム・ロービーム一体型前照灯モジュールによれば、前記集光器（１）は、左側前照灯に用いられ、前記塊状空洞構造が前記左側前照灯に対応する前記集光器の左側に設けられることを特徴とする。
【００１５】
本発明のＡＤＢ機能を備えたＬＥＤ光源のハイビーム・ロービーム一体型前照灯モジュールによれば、前記集光器（１）は、右側前照灯に用いられ、前記塊状空洞構造が前記右側前照灯に対応する前記集光器の右側に設けられることを特徴とする。
【００１６】
本発明のＡＤＢ機能を備えたＬＥＤ光源のハイビーム・ロービーム一体型前照灯モジュールによれば、前記集光器（１）は、左側又は右側の前照灯に用いられ、前記ハイビームＬＥＤ光源（２）の個数が２個或いは４個の偶数の場合、前記塊状空洞構造の前記内部の集光器中央部に近い側が２個の前記ハイビームＬＥＤ光源（２）の中心線の左側又は右側に少なくとも位置し、
右側に前記塊状空洞構造を開設した場合、左側の前記ハイビームＬＥＤ光源から出射された光を右側の前記塊状空洞構造の前記内部の前記集光器中央部に近い側において全反射させ、或いは、
左側に前記塊状空洞構造を開設した場合、右側の前記ハイビームＬＥＤ光源から出射された光を左側の前記塊状空洞構造の前記内部の前記集光器中央部に近い側において全反射させることを特徴とする。
【００１７】
本発明のＡＤＢ機能を備えたＬＥＤ光源のハイビーム・ロービーム一体型前照灯モジュールによれば、前記集光器（１）は、左側又は右側の前照灯に用いられ、前記ハイビームＬＥＤ光源（２）の個数が３個或いは５個の奇数の場合、前記塊状空洞構造の前記内部の集光器中央部に近い側が中間の１個の前記ハイビームＬＥＤ光源から出射された光の軸線の左側又は右側に少なくとも位置し、
右側に前記塊状空洞構造を開設した場合、中央部の前記ハイビームＬＥＤ光源から出射された光を右側の前記塊状空洞構造の前記内部の前記集光器中央部に近い側において全反射させ、或いは、
左側に前記塊状空洞構造を開設した場合、前記中央部の前記ハイビームＬＥＤ光源から出射された光を左側の前記塊状空洞構造の前記内部の前記集光器中央部に近い側において全反射させることを特徴とする。
【００１８】
本発明のＡＤＢ機能を備えたＬＥＤ光源のハイビーム・ロービーム一体型前照灯モジュールによれば、前記集光器（１）は、左側又は右側の前照灯に用いられている時、左側又は右側の前記塊状空洞構造の前記内部の前記前側端面（７−３）から前記集光器の前記外側前端面（１−３）までの距離は、２ｍｍ〜１０ｍｍであることを特徴とする。
【００１９】
本発明のＡＤＢ機能を備えたＬＥＤ光源のハイビーム・ロービーム一体型前照灯モジュールによれば、前記集光器（１）の材料は、透明タイプのプラスチック又はシリコンであり、好ましくは前記集光器（１）の材料としてＰＣ材料を選択する。
【００２０】
本発明のＡＤＢ機能を備えたＬＥＤ光源のハイビーム・ロービーム一体型前照灯モジュールによれば、前記集光器（１）の前記塊状空洞構造は、不規則な略方形穴であることを特徴とする。
【００２１】
本発明のＡＤＢ機能を備えたＬＥＤ光源のハイビーム・ロービーム一体型前照灯モジュールによれば、前記集光器（１）の前記塊状空洞構造は、不規則な矩形穴であることを特徴とする。
【００２２】
本発明のＡＤＢ機能を備えたＬＥＤ光源のハイビーム・ロービーム一体型前照灯モジュールによれば、前記集光器（１）の前記外側前端面は、内方に向けて凹となる円弧面であることを特徴とする。
【００２３】
本発明のＡＤＢ機能を備えたＬＥＤ光源のハイビーム・ロービーム一体型前照灯モジュールによれば、前記集光器（１）の上部には、ＩＩＩゾーン形成構造（１−２）が設けられることを特徴とする。
【００２４】
本発明のＡＤＢ機能を備えたＬＥＤ光源のハイビーム・ロービーム一体型前照灯モジュールによれば、前記ＩＩＩゾーン形成構造（１−２）は、ＩＩＩゾーン拡幅形成構造（１−２−１）と５０Ｌ暗い領域形成構造（１−２−３）とを含み、ＩＩＩゾーンを形成する光は、前記ロービームＬＥＤ光源から発された後、前記反射鏡によって反射され、まず前記ＩＩＩゾーン拡幅形成構造（１−２−１）に入射することを特徴とする。
【００２５】
前記５０Ｌ暗い領域形成構造（１−２−３）は、光の伝搬方向に位置し、凸型の三角形或いはその他の形状を呈し、前記５０Ｌ暗い領域形成構造がロービーム配光パターンの内の５０Ｌ領域の輝度を一定値以下に抑えるように制御する。
【００２６】
前記５０Ｌ暗い領域形成構造は、対向車の運転者の正常な運転に支障をきたすことを防止するため、ロービームに十分な照度があるという前提において、眩しさを生じさせない。
【００２７】
本発明のＡＤＢ機能を備えたＬＥＤ光源のハイビーム・ロービーム一体型前照灯モジュールによれば、前記ＩＩＩゾーン拡幅形成構造（１−２−１）の端面の外形は、内方に向けて凹となる円弧形又は外方に向けて凸となる円弧形を呈する。
【００２８】
本発明のＡＤＢ機能を備えたＬＥＤ光源のハイビーム・ロービーム一体型前照灯モジュールによれば、前記ＩＩＩゾーン拡幅形成構造（１−２−１）の一方側の下縁に矩形溝状のＩＩＩゾーン輝度低減構造（１−２−２）が更に設けられ、前記ＩＩＩゾーン輝度低減構造がロービーム配光パターンの内のＩＩＩゾーンの局部輝度を低減し、ロービームに十分な照度があるという前提において、眩しさを生じさせない。
【００２９】
前記ＩＩＩゾーン輝度低減構造の具体的特徴は、長さが２．８ｍｍ程度、幅が０．４ｍｍ程度、高さが０．３ｍｍ程度であり、ロービーム配光パターンの内のＩＩＩゾーンの局部輝度を低減するために用いられ、ロービームに十分な照度があるという前提において、眩しさを生じさせない。
【００３０】
本発明のＬＥＤ光源のハイビーム・ロービーム一体型前照灯モジュールによれば、前記５０Ｌ暗い領域形成構造（１−２−３）は、光の伝搬方向に位置し、凸型の三角形或いはその他の形状を呈し、前記５０Ｌ暗い領域形成構造がロービーム配光パターンの内の５０Ｌ領域の輝度を一定値以下に抑えるように制御する。
【００３１】
前記５０Ｌ暗い領域形成構造は、対向車の運転者の正常な運転に支障をきたすことを防止するため、ロービームに十分な照度があるという前提において、眩しさを生じさせない。
【００３２】
本発明の集光器は、左側又は右側の前照灯を点灯させるために用いられるため、左側及び右側の前照灯を点灯するための集光器として使用する時、通常同時に前照灯に取り付けられる。
【発明の効果】
【００３３】
光は、透明材料内において屈折、全反射され、モジュール内においてこの特性を十分利用し、透明材料の集光器に塊状空洞構造を備え、光の透明部品の伝搬過程における屈折及び全反射を利用してＡＤＢ配光パターンを形成するので、その他のモジュールのように１個の専用遮光板を設けて光を遮蔽してＡＤＢ配光パターンを形成する必要がない。
ハイビーム・ロービーム一体型前照灯モジュールに基づき、集光器の構造を調え、最適化し、モジュールの体積を増大させないように、ＡＤＢ機能を統合して小型化することができる。
ＡＤＢ機能を備えたＬＥＤ光源のハイビーム・ロービーム一体型前照灯モジュールは、遮光板、電磁弁等の部品を含まず、簡単な構造という利点を持ち、部品の数量が少なく、コストも低い。
ハイビーム・ロービーム一体型前照灯モジュールにＡＤＢ機能を統合させ、モジュールの機能をより一層調え、集積度もより一層高くなる。
【図面の簡単な説明】
【００３４】
【図１】本発明のＡＤＢ機能を備えたＬＥＤ光源のハイビーム・ロービーム一体型前照灯モジュールの光学部品立体構造図である。
【図２】本発明のＡＤＢ機能を備えたＬＥＤ光源のハイビーム・ロービーム一体型前照灯モジュールのアセンブリ立体構造図である。
【図３】本発明のＡＤＢ機能を備えたＬＥＤ光源のハイビーム・ロービーム一体型前照灯モジュールを左側前照灯内に用いた際の集光器立体構造図である。
【図４】本発明のＡＤＢ機能を備えたＬＥＤ光源のハイビーム・ロービーム一体型前照灯モジュールを右側前照灯内に用いた際の集光器立体構造図である。
【図５】本発明のＡＤＢ機能を備えたＬＥＤ光源のハイビーム・ロービーム一体型前照灯モジュールの集光器内のフルハイビーム光の進行方向を示す模式図である。
【図６】本発明のＡＤＢ機能を備えたＬＥＤ光源のハイビーム・ロービーム一体型前照灯モジュールの集光器内のＡＤＢ光の進行方向を示す模式図である。
【図７】本発明のＡＤＢ機能を備えたＬＥＤ光源のハイビーム・ロービーム一体型前照灯モジュールのフルハイビーム配光パターンを示す図である。
【図８】本発明のＡＤＢ機能を備えたＬＥＤ光源のハイビーム・ロービーム一体型前照灯モジュールを左側前照灯に用いた際のＡＤＢ配光パターンを示す図である。
【図９】本発明のＡＤＢ機能を備えたＬＥＤ光源のハイビーム・ロービーム一体型前照灯モジュールを右側前照灯に用いた際のＡＤＢ配光パターンを示す図である。
【図１０】本発明のＡＤＢ機能を備えたＬＥＤ光源のハイビーム・ロービーム一体型前照灯モジュールのＡＤＢ作動状態における左右の前照灯の配光パターンが重ね合わされたＡＤＢ配光パターンを示す模式図である。
【図１１】本発明のＡＤＢ機能を備えたＬＥＤ光源のハイビーム・ロービーム一体型前照灯モジュールのフルハイビーム作動状態における路面効果を示す図である。
【図１２】本発明のＡＤＢ機能を備えたＬＥＤ光源のハイビーム・ロービーム一体型前照灯モジュールのＡＤＢ作動状態における路面効果を示す図である。
【図１３】本発明のＡＤＢ機能を備えたＬＥＤ光源のハイビーム・ロービーム一体型前照灯モジュールを使用したＩＩＩゾーン形成構造（１−２）を示す模式図である。
【発明を実施するための形態】
【００３５】
以下、添付図面及び具体的実施例を組み合わせて本発明を更に説明していく。
【００３６】
図２に示すように、本発明の実施例は、ＡＤＢ機能を備えたＬＥＤ光源のハイビーム・ロービーム一体型前照灯モジュールを提供することにあり、ＡＤＢ機能を備えたＬＥＤ光源のハイビーム・ロービーム一体型前照灯モジュールは、自動車のハイビーム、ロービーム及びＡＤＢモードの照明に用いられ、自動車の前照灯内に配置される。
【００３７】
図１に示すように、前照灯モジュールの光学部品は、透明材料で製造された集光器１と、集光器１の後側、すなわち、光入射側近傍に設けられた３個のハイビームＬＥＤ光源２と、ロービームＬＥＤ光源３と、集光器１の前部上方に設けられた反射鏡５と、集光器１の前方に設けられたレンズ６とを含む。上部開口部を備えた塊状空洞構造７の後端のハイビームＬＥＤ光源２は、単独で点灯又は消灯できる。
【００３８】
集光器１の材料には、屈折率が１．５８６程度のＰＣが選択され、集光器１の光透過率は０．８８程度とする。
【００３９】
ロービームＬＥＤ光源３の近傍側に補助反射鏡４が設けられる。
【００４０】
集光器１の左側又は右側に上部開口部を備えたる塊状空洞構造７が開設される。
塊状空洞構造７は、不規則な略四角形である。塊状空洞構造７の内部の後側端面７−１及び中間側端面７−２は平面であり、内部の後側端面７−１が光入射側に近い端面である。集光器１の外側前端面１−３は平面或いは円弧面で、塊状空洞構造７の内部の前側端面７−３、すなわち、レンズ６に近い側の端面は、集光器１の外側前端面１−３と同じ形状でかつマッチする平面或いは円弧面である。
【００４１】
鮮明なＡＤＢカットオフラインを形成するため、集光器１の塊状空洞構造７の内部の後側端面７−１と中間側端面７−２との接合部は、鋭角である。
【００４２】
集光器１の後端の集光器１の左側又は右側に開設された上部開口部を備えた塊状空洞構造７に対応するハイビームＬＥＤ光源２は、フルハイビームの作動時、点灯状態にあり、発せられる光が塊状空洞構造７の伝搬を経た後、前方に出射され、ハイビーム配光パターンの一部分を形成する。
集光器１の後端の集光器１の左側又は右側に開設された上部開口部を備えた塊状空洞構造７に対応するハイビームＬＥＤ光源２は、ＡＤＢの作動時、消灯状態にあり、他のＬＥＤ光源が点灯し、光を塊状空洞構造７の側面上に照射した時、光は全反射された後に、前方に出射され、ＡＤＢ配光パターンを形成する。
【００４３】
図３、図５、図６に示すように、集光器１は、左側前照灯に用いられ、塊状空洞構造７が左側前照灯に対応する集光器１の左側に設けられる。よって、左側に塊状空洞構造７を開設した場合、右側のハイビームＬＥＤ光源２から出射された光を左側の塊状空洞構造７の内部の集光器中央部に近い側において全反射させる。
【００４４】
図４に示すように、集光器１は、右側前照灯に用いられ、塊状空洞構造７が右側前照灯に対応する集光器１の右側に設けられる。よって、右側に塊状空洞構造７を開設した場合、左側のハイビームＬＥＤ光源２から出射された光を右側の塊状空洞構造７の内部の集光器中央部に近い側において全反射させる。
【００４５】
集光器１は、左側又は右側の前照灯に用いられ、ハイビームＬＥＤ光源２の個数が３個或いは５個の奇数の場合、塊状空洞構造７の内部の集光器中央部に近い側が中間の１個のハイビームＬＥＤ光源２から出射された光の軸線の左側又は右側に少なくとも位置する。
集光器１の左側又は右側の塊状空洞構造７の内部の前側端面７−３から集光器１の外側前端面１−３までの距離は、２ｍｍ〜１０ｍｍである。
【００４６】
集光器１の材料は、透明タイプのプラスチック又はシリコンであり、好ましくは集光器１の材料としてＰＣ材料を選択する。
【００４７】
集光器１の外側前端面１−３は、内方に向けて凹となる円弧面である。
【００４８】
また、本実施例によれば、集光器１の上部には、ＩＩＩゾーン形成構造１−２が設けられる。ＩＩＩゾーン形成構造１−２は、ＩＩＩゾーン拡幅形成構造１−２−１と５０Ｌ暗い領域形成構造１−２−３とを含む。ＩＩＩゾーンを形成する光は、ロービームＬＥＤ光源３から発された後、反射鏡５によって反射され、まずＩＩＩゾーン拡幅形成構造１−２−１に入射する。
【００４９】
ハイビーム・ロービーム一体型前照灯モジュールの集光器１上のＩＩＩゾーン拡幅形成構造１−２−１の一方側の下縁に方形溝状のＩＩＩゾーン輝度低減構造１−２−２が更に設けられ、ＩＩＩゾーン輝度低減構造１−２−２に光が配された時、ＩＩＩゾーン輝度低減構造１−２−２の長さ、幅、高さ及びその空間位置の調整を通じて、ＩＩＩゾーン特定領域の輝度を下げさせることにより、ＩＩＩゾーン特定領域の輝度を０．１ｌｘ〜０．７ｌｘの範囲にすることができる。
【００５０】
５０Ｌ暗い領域形成構造１−２−３は、光の伝搬方向に位置し、凸型の三角形或いはその他の形状を呈し、５０Ｌ暗い領域形成構造１−２−３がロービーム配光パターン内の５０Ｌ領域の輝度を一定値以下に抑えるように制御する。
【００５１】
ＩＩＩゾーン拡幅形成構造１−２−１の端面の外形は、内方に向けて凹となる円弧形又は外方に向けて凸となる円弧形を呈する。
【００５２】
また、ＩＩＩゾーン拡幅形成構造１−２−１の一方側の下縁に矩形溝状のＩＩＩゾーン輝度低減構造１−２−２が更に設けられ、ＩＩＩゾーン輝度低減構造１−２−２がロービーム配光パターン内のＩＩＩゾーンの局部輝度を低減し、ロービームに十分な照度があるという前提において、眩しさを生じさせない。
【００５３】
ＩＩＩゾーン輝度低減構造１−２−２の具体的特徴は、長さが２．８ｍｍ程度、幅が０．４ｍｍ程度、高さが０．３ｍｍ程度であり、ＩＩＩゾーン輝度低減構造１−２−２は、ロービーム配光パターン内のＩＩＩゾーンの局部輝度を低減するために用いられる。
【００５４】
本発明の集光器１は、左側又は右側の前照灯を点灯させるために用いられるため、左側及び右側の前照灯を点灯するための集光器として使用する時、通常同時に前照灯に取り付けられる。
【００５５】
図３に示すように、左側の前照灯内にある集光器１の塊状空洞構造７は、モジュールの上面からみた光出射方向に沿う左側に設けられる。光出射方向は第２ハイビームＬＥＤ光源２−２からレンズ６に向かう方向である。
【００５６】
図４に示すように、右側の前照灯内にある集光器１の塊状空洞構造７は、モジュールの上面からみた光出射方向に沿う右側に設けられる。
【００５７】
図５に示すように、フルハイビーム作動時、集光器１の塊状空洞構造７の後端に対応するＬＥＤ光源２−１は、点灯状態にあり、発された光が塊状空洞構造７を経由して伝搬した後、前方に出射され、ハイビーム配光パターンの一部分を形成し、別の２個のＬＥＤ光源２−２，２−３から発せられた光を結合して、フルハイビームを形成する。フルハイビームの配光パターンは、図７に示す通りで、路面効果は図１１に示す通りであり、この時、路面が全て照らされ、非常に良好な可視性を有する。
【００５８】
図６に示すように、ＡＤＢ作動時、集光器１の塊状空洞構造７の後端に対応するＬＥＤ光源２−１は、消灯状態にあり、他の２個のＬＥＤ光源２−２，２−３が点灯し、光を塊状空洞構造７の側面に照射した時、光は全反射された後に前方に出射され、ＡＤＢ配光パターンを形成する。左側前照灯のＡＤＢ配光パターンは図８に示す通りで、右側前照灯のＡＤＢ配光パターンは図９に示す通りであり、ＡＤＢ作動状態における左右の前照灯の配光パターンが重ね合わされた後の配光パターンは図１０に示す通りである。中間の凹溝領域は、先行車の眩しさを防止するために形成された暗い領域であり、暗い領域の大きさは、異なる照らす範囲の調整に適応するため、左側、右側の前照灯内モジュールを左又は右に回転させて、調節できる。ＡＤＢの路面効果は、図１２に示す通りであり、対向車線に車両がある時、自車両が自車道に対する非常に良好な照明効果を有し、同時に対向車の運転者への眩しさを防止することで、交通の安全性が向上する。
【００５９】
（付記）
（付記１）
透明材料製の集光器（１）と、
前記集光器（１）の光入射側近傍である後側に設けられたハイビームＬＥＤ光源（２）及びロービームＬＥＤ光源（３）と、
前記集光器（１）の出射光側の前部上方である前部上方に設けられた反射鏡（５）と、前側に設けられたレンズ（６）と、を含むＡＤＢ機能を備えたＬＥＤ光源のハイビーム・ロービーム一体型前照灯モジュールであって、
前記集光器（１）の左側或いは右側に上部開口部を備えた塊状空洞構造（７）が開設され、
前記塊状空洞構造（７）が略多角形であり、
前記塊状空洞構造（７）の内部の後側端面（７−１）及び中間側端面（７−２）は平面であり、前記内部の前記後側端面（７−１）が光入射側に近い端面であり、
前記集光器（１）の外側前端面（１−３）が平面或いは円弧面であり、
前記塊状空洞構造（７）の前記内部の前記レンズ（６）に近い側の端面である前側端面（７−３）は前記集光器（１）の前記外側前端面（１−３）と同じ形状でかつマッチする平面或いは円弧面であることを特徴とする、
ＡＤＢ機能を備えたＬＥＤ光源のハイビーム・ロービーム一体型前照灯モジュール。
【００６０】
（付記２）
鮮明なＡＤＢカットオフラインを形成するため、前記集光器（１）の前記塊状空洞構造（７）の前記内部の前記後側端面（７−１）と前記中間側端面（７−２）との接合部は、鋭角であることを特徴とする、
付記１に記載のＡＤＢ機能を備えたＬＥＤ光源のハイビーム・ロービーム一体型前照灯モジュール。
【００６１】
（付記３）
前記ハイビームＬＥＤ光源（２）の個数は、２個〜５個であることを特徴とする、
付記１に記載のＡＤＢ機能を備えたＬＥＤ光源のハイビーム・ロービーム一体型前照灯モジュール。
【００６２】
（付記４）
前記ハイビームＬＥＤ光源（２）のうちの前記集光器（１）の前記上部開口部を備えた前記塊状空洞構造（７）の後端に位置するハイビームＬＥＤ光源（２）は、単独で点灯又は消灯できることを特徴とする、
付記１に記載のＡＤＢ機能を備えたＬＥＤ光源のハイビーム・ロービーム一体型前照灯モジュール。
【００６３】
（付記５）
前記集光器（１）の後端の前記集光器（１）の前記上部開口部を備えた前記塊状空洞構造（７）に対応する前記ハイビームＬＥＤ光源（２）は、フルハイビームの作動時、点灯状態にあり、発せられる光が前記塊状空洞構造（７）の伝搬を経た後、前方に出射され、ハイビーム配光パターンの一部分を形成し、
前記集光器（１）の後端の前記集光器（１）の前記上部開口部を備えた前記塊状空洞構造（７）に対応する前記ハイビームＬＥＤ光源（２）は、ＡＤＢの作動時、消灯状態にあり、他のＬＥＤ光源が点灯し、光を前記塊状空洞構造（７）の側面上に照射した時、該光は、全反射された後に、前方に出射され、ＡＤＢ配光パターンを形成することを特徴とする、
付記４に記載のＡＤＢ機能を備えたＬＥＤ光源のハイビーム・ロービーム一体型前照灯モジュール。
【００６４】
（付記６）
前記集光器（１）は、左側前照灯に用いられ、前記塊状空洞構造（７）が前記左側前照灯に対応する前記集光器（１）の左側に設けられることを特徴とする、
付記１に記載のＡＤＢ機能を備えたＬＥＤ光源のハイビーム・ロービーム一体型前照灯モジュール。
【００６５】
（付記７）
前記集光器（１）は、右側前照灯に用いられ、前記塊状空洞構造（７）が前記右側前照灯に対応する前記集光器（１）の右側に設けられることを特徴とする、
付記１に記載のＡＤＢ機能を備えたＬＥＤ光源のハイビーム・ロービーム一体型前照灯モジュール。
【００６６】
（付記８）
前記集光器（１）は、左側又は右側の前照灯に用いられ、前記ハイビームＬＥＤ光源（２）の個数が２個或いは４個の偶数の場合、前記塊状空洞構造（７）の前記内部の集光器中央部に近い側が２個の前記ハイビームＬＥＤ光源（２）の中心線の左側又は右側に少なくとも位置し、
右側に前記塊状空洞構造（７）を開設した場合、左側の前記ハイビームＬＥＤ光源（２）から出射された光を右側の前記塊状空洞構造（７）の前記内部の前記集光器中央部に近い側において全反射させ、或いは、
左側に前記塊状空洞構造（７）を開設した場合、右側の前記ハイビームＬＥＤ光源（２）から出射された光を左側の前記塊状空洞構造（７）の前記内部の前記集光器中央部に近い側において全反射させることを特徴とする、
付記１に記載のＡＤＢ機能を備えたＬＥＤ光源のハイビーム・ロービーム一体型前照灯モジュール。
【００６７】
（付記９）
前記集光器（１）は、左側又は右側の前照灯に用いられ、前記ハイビームＬＥＤ光源（２）の個数が３個或いは５個の奇数の場合、前記塊状空洞構造（７）の前記内部の集光器中央部に近い側が中間の１個の前記ハイビームＬＥＤ光源（２）から出射された光の軸線の左側又は右側に少なくとも位置し、
右側に前記塊状空洞構造（７）を開設した場合、中央部の前記ハイビームＬＥＤ光源（２）から出射された光を右側の前記塊状空洞構造（７）の前記内部の前記集光器中央部に近い側において全反射させ、或いは、
左側に前記塊状空洞構造（７）を開設した場合、前記中央部の前記ハイビームＬＥＤ光源（２）から出射された光を左側の前記塊状空洞構造（７）の前記内部の前記集光器中央部に近い側において全反射させることを特徴とする、
付記１に記載のＡＤＢ機能を備えたＬＥＤ光源のハイビーム・ロービーム一体型前照灯モジュール。
【００６８】
（付記１０）
前記集光器（１）は、左側又は右側の前照灯に用いられている時、左側又は右側の前記塊状空洞構造（７）の前記内部の前記前側端面（７−３）から前記集光器（１）の前記外側前端面（１−３）までの距離は、２ｍｍ〜１０ｍｍであることを特徴とする、
付記１に記載のＡＤＢ機能を備えたＬＥＤ光源のハイビーム・ロービーム一体型前照灯モジュール。
【００６９】
（付記１１）
前記集光器（１）の前記塊状空洞構造（７）は、不規則な略方形穴であることを特徴とする、
付記１に記載のＡＤＢ機能を備えたＬＥＤ光源のハイビーム・ロービーム一体型前照灯モジュール。
【００７０】
（付記１２）
前記集光器（１）の前記塊状空洞構造（７）は、不規則な矩形穴であることを特徴とする、
付記１に記載のＡＤＢ機能を備えたＬＥＤ光源のハイビーム・ロービーム一体型前照灯モジュール。
【００７１】
（付記１３）
前記集光器（１）の前記外側前端面（１−３）は、内方に向けて凹となる円弧面であることを特徴とする、
付記１に記載のＡＤＢ機能を備えたＬＥＤ光源のハイビーム・ロービーム一体型前照灯モジュール。
【符号の説明】
【００７２】
１  集光器
１−２  ＩＩＩゾーン形成構造
１−２−１  ＩＩＩゾーン拡幅形成構造
１−２−２  ＩＩＩゾーン輝度低減構造
１−２−３  ５０Ｌ暗い領域形成構造
１−３  集光器の平面或いは円弧面の外側前端面
２  ハイビームＬＥＤ光源
２−１  第１ハイビームＬＥＤ光源
２−２  第２ハイビームＬＥＤ光源
２−３  第３ハイビームＬＥＤ光源
３  ロービームＬＥＤ光源
４  補助反射鏡
５  反射鏡
６  レンズ
７  集光器の左側又は右側の上部に開設された上部開口部を備えた溝状或いは孔状の塊状空洞構造
７−１  塊状空洞構造の内部の後側端面、すなわち光入射側に近い端面
７−２  塊状空洞構造の内部の左側又は右側の中間側端面
７−３  塊状空洞構造の内部の前側端面、すなわちレンズ出射光側に近い端面
Ｒａｙ１  ハイビーム光源から出射された光
Ｒａｙ２  ハイビーム光源から出射された光
Ｒａｙ３  ハイビーム光源から出射された光
【図１】
2019522336.tif 000003
【図２】
2019522336.tif 000004
【図３】
2019522336.tif 000005
【図４】
2019522336.tif 000006
【図５】
2019522336.tif 000007
【図６】
2019522336.tif 000008
【図７】
2019522336.tif 000009
【図８】
2019522336.tif 000010
【図９】
2019522336.tif 000011
【図１０】
2019522336.tif 000012
【図１１】
2019522336.tif 000013
【図１２】
2019522336.tif 000014
【図１３】
2019522336.tif 000015
【国際調査報告】
2019522336.tif 000016
2019522336.tif 000017
2019522336.tif 000018
2019522336.tif 000019